【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
配信者端末から、少なくとも生配信用の映像データを受信することと、
演出条件が満足しているか否かを判定することと、
前記演出条件が満足している時に、前記映像データに対して演出を付加することと、
前記演出が付加された映像データを前記配信者端末あるいは観客端末へ配信することと
をコンピュータに実行させるコンピュータプログラムであって、
前記演出条件は、オープニング演出、エンディング演出、または中間演出を付加するか否かを判定するための基準であり、前記判定することは、前記オープニング演出、エンディング演出、または中間演出のそれぞれについて、前記演出条件を満たすか否かを判定することを含む、
コンピュータプログラム。
【請求項２】
前記映像データに対して演出を付加することは、前記映像データに対して前記演出を合成し、合成映像データを生成することを含む、請求項１に記載のコンピュータプログラム。
【請求項３】
前記受信することは、前記生配信用の前記映像データおよび前記演出をどのように合成するかを指定する指定データを受信することを含み、
前記映像データに対して演出を付加することは、前記指定データに従って前記映像データまたは前記演出を合成し、合成映像データを生成することを含む、請求項１に記載のコンピュータプログラム。
【請求項４】
前記映像データに対して演出を付加することは、前記映像データに対して既定の加工を行って加工済み映像データを生成することを含む、請求項１に記載のコンピュータプログラム。
【請求項５】
前記映像データに対して演出を付加することは、前記配信者端末あるいは観客端末の少なくとも１つからの操作要求に基づいて動的な演出の操作データを生成することを含み、
配信することは、前記映像データおよび前記操作データを前記配信者端末あるいは観客端末の少なくとも１つへ配信することを含む、請求項１に記載のコンピュータプログラム。
【請求項６】
前記演出を作成すること、をさらにコンピュータに実行させる、
請求項１乃至請求項５のいずれか一項に記載のコンピュータプログラム。
【請求項７】
前記作成することは、前記映像データの生配信が開始された後に生じた事象に関する情報を含む前記演出を作成することを含む、請求項６に記載のコンピュータプログラム。
【請求項８】
配信者端末から、少なくとも生配信用の映像データを受信する受信部と、
演出条件が満足しているか否かを判定する判定部と、
前記演出条件が満足している時に、前記映像データに対して演出を付加したデータを前記配信者端末あるいは観客端末へ配信する配信部と
を具備し、
前記演出条件は、オープニング演出、エンディング演出、または中間演出を付加するか否かを判定するための基準であり、前記判定部は、前記オープニング演出、前記エンディング演出、または前記中間演出のそれぞれについて、前記演出条件を満たすか否かを判定する、
配信サーバ。
【請求項９】
プロセッサと、
コンピュータプログラムを格納するメモリと、を備え、
前記コンピュータプログラムは、前記プロセッサに、
配信者端末から、少なくとも生配信用の映像データを受信することと、
演出条件が満足しているか否かを判定することと、
前記演出条件が満足している時に、前記映像データに対して演出を付加することと、
前記演出が付加された映像データを前記配信者端末あるいは観客端末へ配信することと
を実行させ、
前記演出条件は、オープニング演出、エンディング演出、または中間演出を付加するか否かを判定するための基準であり、前記判定することは、前記オープニング演出、前記エンディング演出、または前記中間演出のそれぞれについて、前記演出条件を満たすか否かを判定する、
配信サーバ。
【手続補正２】
【補正対象書類名】明細書
【補正対象項目名】発明の名称
【補正方法】変更
【補正の内容】
【発明の名称】コンピュータプログラムおよび配信サーバ
【手続補正３】
【補正対象書類名】明細書
【補正対象項目名】００１２
【補正方法】変更
【補正の内容】
【００１２】
本発明の第１の態様に係るコンピュータプログラムは、配信者端末から、少なくとも生配信用の映像データを受信することと、演出条件が満足しているか否かを判定することと、前記演出条件が満足している時に、前記映像データに対して演出を付加することと、前記演出が付加された映像データを前記配信者端末あるいは観客端末へ配信することとをコンピュータに実行させるコンピュータプログラムであって、前記演出条件は、オープニング演出、エンディング演出、または中間演出を付加するか否かを判定するための基準であり、前記判定することは、前記オープニング演出、エンディング演出、または中間演出のそれぞれについて、前記演出条件を満たすか否かを判定することを含む。
【手続補正４】
【補正対象書類名】明細書
【補正対象項目名】００１３
【補正方法】変更
【補正の内容】
【００１３】
本発明の第２の態様に係る配信サーバは、配信者端末から、少なくとも生配信用の映像データを受信する受信部と、演出条件が満足しているか否かを判定する判定部と、前記演出条件が満足している時に、前記映像データに対して演出を付加したデータを前記配信者端末あるいは観客端末へ配信する配信部とを具備し、前記演出条件は、オープニング演出、エンディング演出、または中間演出を付加するか否かを判定するための基準であり、前記判判定部は、前記オープニング演出、前記エンディング演出、または前記中間演出のそれぞれについて、前記演出条件を満たすか否かを判定する。
【手続補正５】
【補正対象書類名】明細書
【補正対象項目名】００１４
【補正方法】変更
【補正の内容】
【００１４】
本発明の第３の態様に係る配信サーバは、プロセッサと、コンピュータプログラムを格納するメモリと、を備え、前記コンピュータプログラムは、前記プロセッサに、配信者端末から、少なくとも生配信用の映像データを受信することと、演出条件が満足しているか否かを判定することと、前記演出条件が満足している時に、前記映像データに対して演出を付加することと、前記演出が付加された映像データを前記配信者端末あるいは観客端末へ配信することとを実行させ、前記演出条件は、オープニング演出、エンディング演出、または中間演出を付加するか否かを判定するための基準であり、前記判定することは、前記オープニング演出、前記エンディング演出、または前記中間演出のそれぞれについて、前記演出条件を満たすか否かを判定する。
【手続補正６】
【補正対象書類名】明細書
【補正対象項目名】００１５
【補正方法】削除
【補正の内容】
【手続補正７】
【補正対象書類名】明細書
【補正対象項目名】０１５０
【補正方法】変更
【補正の内容】
【０１５０】
上記各実施形態の処理の少なくとも一部は、汎用のコンピュータを基本ハードウェアとして用いることでも実現可能である。上記処理を実現するプログラムは、コンピュータで読み取り可能な記録媒体に格納して提供されてもよい。プログラムは、インストール可能な形式のファイルまたは実行可能な形式のファイルとして記録媒体に記憶される。記録媒体としては、磁気ディスク、光ディスク（ＣＤ−ＲＯＭ、ＣＤ−Ｒ、ＤＶＤ等）、光磁気ディスク（ＭＯ等）、半導体メモリなどである。記録媒体は、プログラムを記憶でき、かつ、コンピュータが読み取り可能であれば、何れであってもよい。また、上記処理を実現するプログラムを、インターネットなどのネットワークに接続されたコンピュータ（サーバ）上に格納し、ネットワーク経由でコンピュータ（クライアント）にダウンロードさせてもよい。
以下に本願の出願当初の特許請求の範囲に記載された発明を付記する。
[Ｃ１]  配信者端末から生配信用の映像データを受信する受信部と、
演出条件が満足しているか否かを判定する判定部と、
前記演出条件が満足している時に、前記映像データに対して演出データを合成し合成映像データを生成する合成部と、
前記合成映像データを前記配信者端末および観客端末へ配信する配信部と
を具備する、配信サーバ。
[Ｃ２]  前記演出条件は、（１）前記映像データの生配信のために割り当てられた時間枠内に設定された演出開始地点に前記配信サーバの参照する日時が達してから第１の演出終了条件が満足するまで、（２）前記映像データの観客数が所定の条件を満足してから第２の演出終了条件が満足するまで、（３）前記配信者端末または前記観客端末へ所定のユーザ入力があってから第３の演出終了条件が満足するまで、（４）前記映像データに対して投稿されたコメントが所定の条件を満足してから第４の演出終了条件が満足するまで、および（５）前記映像データの再生映像または再生音声が所定の条件を満足してから第５の演出終了条件が満足するまで、のうち少なくとも１つの間に満足する、Ｃ１に記載の配信サーバ。
[Ｃ３]  前記第１の演出終了条件、前記第２の演出終了条件、前記第３の演出終了条件、前記第４の演出終了条件および前記第５の演出終了条件のいずれかが満足するための必要条件を動的に示す情報を含む前記演出データを作成する作成部をさらに具備する、Ｃ２に記載の配信サーバ。
[Ｃ４]  前記作成部は、前記映像データの観客数またはコメント数と必要数とのギャップを示す情報を含む前記演出データを作成する、Ｃ３に記載の配信サーバ。
[Ｃ５]  前記映像データの生配信が開始された後に生じた事象に関する情報を含む前記演出データを作成する作成部をさらに具備する、Ｃ１またはＣ２に記載の配信サーバ。
[Ｃ６]  前記作成部は、前記映像データの観客数、前記映像データに対して投稿されたコメントの一部、前記映像データに対して投稿されたコメント数、および前記映像データに対してコメントを投稿した観客名のうち少なくとも１つを示す情報を含む前記演出データを作成する、Ｃ５に記載の配信サーバ。
[Ｃ７]  （１）前記配信者端末および前記観客端末の少なくとも一方になされたユーザ入力、ならびに（２）前記配信者端末および前記観客端末の少なくとも一方によって投稿されたコメント、のうち少なくとも一方に反応して変化する演出データを作成する作成部をさらに具備する、Ｃ１またはＣ２に記載の配信サーバ。
[Ｃ８]  前記映像データに付与されたメタデータおよび前記映像データに関連するウェブページに表示される情報の少なくとも一方に基づいて生成された情報を含む前記演出データを作成する作成部をさらに具備する、Ｃ１またはＣ２に記載の配信サーバ。
[Ｃ９]  前記合成部は、前記映像データの再生映像の画面の一部または全部をリサイズして前記演出データと合成し、前記合成映像データを生成する、Ｃ１乃至Ｃ７のいずれか１項に記載の配信サーバ。
[Ｃ１０]  前記合成部は、前記映像データの再生映像の画面の一部が露出し、残部が隠れるように前記映像データを前記演出データと合成し、前記合成映像データを生成する、Ｃ１乃至Ｃ７のいずれか１項に記載の配信サーバ。
[Ｃ１１]  コンピュータを、
配信者端末から生配信用の映像データを受信する手段、
演出条件が満足しているか否かを判定する手段、
前記演出条件が満足している時に、前記映像データに対して演出データを合成し合成映像データを生成する手段、
前記合成映像データを前記配信者端末および観客端末へ配信する手段
として機能させるための配信プログラム。
[Ｃ１２]  前記受信部は、前記配信者端末および前記観客端末の少なくとも１つから前記映像データおよび前記演出データの合成位置、前記映像データの拡大／縮小率、前記演出データの拡大／縮小率、前記映像データの回転量、前記演出データの回転量、前記映像データにおける特定の領域、ならびに前記演出データにおける特定の領域の少なくとも１つを指定する指定データをさらに受信し、
前記合成部は、前記指定データに従って前記映像データおよび前記演出データの少なくとも一方に対して平行移動、リサイズ、回転、反転およびトリミングの少なくとも１つを行ってから前記映像データおよび前記演出データを合成し、前記合成映像データを生成する、
Ｃ１乃至Ｃ１０のいずれか１項に記載の配信サーバ。
[Ｃ１３]  配信者端末から生配信用の映像データを受信する受信部と、
演出条件が満足しているか否かを判定する判定部と、
前記演出条件が満足している時に、前記映像データに対して既定の加工を行って加工済み映像データを生成する加工部と、
前記加工済み映像データを前記配信者端末および観客端末へ配信する配信部と
を具備する、配信サーバ。
[Ｃ１４]  前記加工部は、前記演出条件が満足している時に、前記映像データにおける特定の領域の複製をそのまま、または回転、反転およびリサイズの少なくとも１つを行ってから、前記映像データに貼り付け、前記加工済み映像データを生成する、Ｃ１３に記載の配信サーバ。
[Ｃ１５]  演出条件が満足しているか否かを判定する判定部と、
配信者端末から生配信用の映像データを受信し、前記演出条件が満足している場合にはさらに前記配信者端末および観客端末の少なくとも１つから前記配信者端末および前記観客端末の少なくとも１つにおいて前記映像データに合成される動的な演出データに対する操作要求を受信する受信部と、
前記操作要求に基づいて前記動的な演出データの操作データを生成する生成部と、
前記映像データおよび前記操作データを前記配信者端末および観客端末の少なくとも１つへ配信する配信部と
を具備する、配信サーバ。
[Ｃ１６]  前記動的な演出データは、前記操作データに応じて画面遷移する映像データである、Ｃ１５に記載の配信サーバ。
[Ｃ１７]  演出条件が満足しているか否かを判定する判定部と、
前記演出条件が満足している時に、ユーザ入力に応じて動的な演出データに対する操作要求を生成する生成部と、
前記操作要求を配信サーバへ送信する送信部と、
前記演出条件が満足している時に、前記配信サーバから生配信用の映像データおよび前記操作要求に基づいて生成された前記動的な演出データの操作データを受信する受信部と、
前記操作要求に基づいて前記動的な演出データを制御する制御部と、
前記映像データに前記動的な演出データを合成する合成部と、
を具備する、端末。